Podtech/llm-jp-corpus-v4-ja_patent huggingface dataset:
(57)【要約】      （修正有）【課題】狭い場所、樹木が沢山植えてある場所、庭石やコンクリート製の塀、電柱、門柱の近場に於いても楽に作業が出来る。【解決手段】直径１００ｍｍ厚さ１ｍｍの鋼鉄製の円盤の中心に草刈機に取り付ける取付け穴をあけ、円盤の左右に高さ３０ｍｍ巾２０ｍｍの鉄片、ワイヤー取行け部材を溶接する。この部材の中心点にワイヤーの取付け穴をあける。ビニール被覆の金属製のワイヤーを２００ｍｍに切断する。ワイヤーの端に結び玉を作る。円盤の左右の鉄片。ワイヤー取付け部材の穴に内側から通し外側の近くで結び玉を作る。ビニール被服の金属製ワイヤーを使用した軟弱な刃を回転する事により植木等を損傷する事無く安全に作業が出来る。刃の下側に直径８０ｍｍ高さ２０ｍｍの円筒を着けることによりワイヤーが地面の接触を防ぎ、小石等の飛散を防止する。【選択図】図１
0003136785.tif 000002
【実用新案登録請求の範囲】
【請求項１】
直径１００ｍｍ厚さ１ｍｍの鋼鉄製円盤の中心に草刈機に取付け用穴をあけ、円盤の左右の端に巾２０ｍｍ高さ３０ｍｍの鉄片、ワイヤー取付け部材を垂直につけ、ワイヤー取付け部材の中心にワイヤー取付け用の穴をあけ、ビニール被覆の金属製ワイヤーを２００ｍｍに切断し、ワイヤーの端に結び玉をつくると共に、円盤の左右のワイヤー取付け部材の穴に内側からワイヤーを通し又、外側に結び玉を設けた草刈機の刃
【請求項２】
請求項１の動力草刈機の刃において鋼鉄製円盤の下側の中央部に直径８０ｍｍ高さ２０ｍｍの円筒を溶接接合した動力草刈機の刃。
【考案の詳細な説明】
【技術分野】
【０００１】本考案は、動力草刈機の刃にビニール被服の金属性ワイヤーを利用する刃の改善である。
【背景技術】
【０００２】動力草刈機の刃は鋼鉄製で広い場所の作業に適して居ますが、狭い場所や植木の中また庭石やコンクリートの塀の側等に使用する際、樹木の損傷を招き、草刈機の刃にも損傷を招きます、この様な場所には鋼鉄製の刃の草刈機は使用出来ません、また従来、特許公開２００６−１６６８９０にある考案には小石等の飛散防止の考案は無く危険である。ナイロン製の糸の交換は容易であっても従来の鋼鉄製の刃との交換が容易で無い。
【考案の開示】
【考案が解決しようとする課題】
【０００３】庭の植木や生垣の側等に鋼鉄製の刃の草刈機を使用する時、樹木等に傷を付けたり切断することもある、また庭石やコンクリートの塀、電柱の側で使用した時に草刈機の刃に当たり草刈機の刃のみでなく草刈機にも損傷を招きます。
【課題を解決するための手段】
【０００４】本考案の第一は、直径１００ｍｍ厚さ１ｍｍの鋼鉄製の円盤の中心に草刈機に取付ける為の取付け穴をあける、円盤の左右に高さ３０ｍｍ巾２０ｍｍの鉄片、ワイヤー取付け部材を溶接する。この鉄片、ワイヤー取付け部材の中心点にワイヤー取り付け用の穴をあける。ビニール被覆の金属製ワイヤーを２００ｍｍに切断する。ビニール被服の金属製ワイヤーの端に結び玉を作る、円盤の左右の鉄片、ワイヤー取付け部材の穴に内側から通し部材の外側近くで又結び玉を作る・（ワイヤーの部材からの脱着を防ぐ）
動力草刈機の鋼鉄の刃を上記考案のビニール被服の金属製ワイヤーの刃と交換して使用する。鋼鉄製の刃の取付け穴とビニール被服の金属製ワイヤーの刃の取付穴が同じである、ビニール被服の金属製ワイヤーの遠心力により草を刈る事が出来、樹木や草刈機の刃を損傷する事無く安全に作業が出来る。【０００５】本考案の第２は、第１の考案の円盤の下側に直径８０ｍｍ高さ２０ｍｍの円筒を溶接接合する。
円盤に付けたワイヤーが回転する時、ワイヤーが地面に接触を防止し小石等の飛散を防ぐ。
【実施例】
【０００６】動力草刈機の鋼鉄製の刃と取り付けサイズが同等の為、刃の交換が容易である。樹木の根元まで草の刈り取りが出来、樹木の損傷も無く安全である。  庭石やコンクリート製の塀、電柱、門柱等の根元の草も刈取りが出来る。庭石やコンクリート製品に傷を付ける事無く、草刈機や刃にも損傷無く作業が出来、安全である。
刃の下側に円筒を取り付ける事により小石等の飛散が防止できる。
【図面の簡単な説明】
【０００７】
【図１】本考案を斜め横から見たところ
【図２】本考案を真上から見たところ
【図３】本考案を裏から見たところ
【図４】使用状態を示す斜め横から見た図
【符号の説明】
【０００８】１          鋼鉄製円盤
２          草刈樹に取付け穴
３          ワイヤー取付け部材
４          ワイヤー取付け穴
５          金属の芯を有するビニール被服のワイヤー
６          ワイヤーの結び玉
７          飛散防止の円筒
【図１】
0003136785.tif 000003
【図２】
0003136785.tif 000004
【図３】
0003136785.tif 000005
【図４】
0003136785.tif 000006
(57)【要約】      （修正有）【課題】ファラデーの電磁誘導と単極誘導を止揚した原理に基づき可動子を振動させる装置を得る。【解決手段】導電性磁石単独の可動子もしくは二つの磁石で導電材を挟み込んだ可動子を、吊り方向と可動子の磁場が一致するように振れが可能な吊り具で懸架して可動子の側面、すなわち導電性磁石の側面もしくは挟み込まれている導電材の両端にブラシを介して通電して通電方向に直交する方向に振動させる装置を構成する。【選択図】図１
0003136789.tif 000002
【実用新案登録請求の範囲】
【請求項１】
吊り具で磁場方向に懸架されている導電性磁石の側面の対抗する２箇所、もしくは二つの磁石の間に挟み込まれた導電材の両端にブラシを介して通電し、通電方向に直交する方向に磁石を振動させる装置。
【考案の詳細な説明】
【技術分野】
【０００１】  本考案は、ファラデーの電磁誘導と単極誘導を止揚する原理に基づき可動子を振動させる装置に関する。
【背景技術】
【０００２】  従来の電磁誘導回路は、閉回路を貫く磁束の時間的変化を抑えるように起電力がその閉回路に生じるというレンツが定式化したファラデーの法則に基づく電磁誘導回路と、同様にファラデーにより発見された単極誘導回路とで構成されている。後者は磁石の磁場と銅製円盤の回転軸が平行で磁力線が円盤面を貫くようにに置かれた配置において銅製円盤を回転させると中心軸と外周縁の間に起電力が生じるというものである。ほとんどの産業用発電機は前者の回路を組み込んだものであり、後者は現在も学術的関心の段階に止まっていると言って過言ではない。【０００３】  しかしながら、二つの起電力の原理は一つの原理としてまとめられておらず、両原理が止揚されて、その包括原理が見いだされた時に存在するであろう新しい電磁誘導と電動機回路が未発見のままであるという欠点があった。
【考案の開示】
【考案が解決しようとする課題】
【０００４】  本考案は、実用新案３１２２４３８号で開示したファラデーの電磁誘導と単極誘導を止揚する包括原理に基づき、回転運動仕様の電磁誘導回路に次いで、包括原理を簡単に具現する振り子運動装置を提供する事を目的としている。
【課題を解決するための手段】
【０００５】  上記目的を達成するために、実用新案３１２２４３８号で開示した手段を若干の補足を交えて再度説明する。先ずは下記の数１の回路起電力ｅを与えるファラデーの法則から始める【０００６】
【数１】
0003136789.tif 000003
【０００７】  上記の数式において、ｅは当該回路の起電力、Ｅは回路の任意点の位置ｒの電界、Ｂは磁束密度、Ｓは回路内面積、Ａは積分される面積の上限である。本考案では磁気は電磁波等によるもでは無く磁石によるものなので、磁束密度ＢはＢ＝Ｂ（ｔ、ｘ、ｙ、ｚ）では無くＢ＝Ｂ（ｘ、ｙ、ｚ）であり、∂Ｂ／∂ｔ＝０である。ただし磁石と回路の相対運動を論じるのでｘ＝ｘ（ｔ）、ｙ＝ｙ（ｔ）、ｚ＝ｚ（ｔ）である。定積分の上限面積についてはＡ＝Ａ（ｔ）として数１の右辺を展開すると、最終的には下記の数２を得る。【０００８】
【数２】
0003136789.tif 000004
【０００９】  上述のようにＢは位置に依存しても、時間ｔに対して陽的にはなんら依存していないため、第１項の被積分関数は時間ｔについての偏微分では無い。磁石と回路の相対運動により生じる回路内の磁束密度の変化による起電力項である。第２項は回路の面積の変化が生じる、すなわち回路が面積速度を有する時の積分の上限面積Ａにおける面積速度ベクトルと磁束密度のベクトルとの内積で、新たに見つかった起電力の項である。【００１０】  回路の一部が開放されているＵ字形の開回路の開放部をブラシ等を介して通電能をもつ媒体たとえば銅線等を用いて閉じて閉回路とし、静止状態の磁石による磁界中で銅線を動かした場合は第１項は０で、第２項のみとなる。銅線と磁石が静止しており、逆にＵ字形の回路部分の方を動かす場合は、銅線と対する位置であるＵ字の底辺部の動きが数２の第２項に反映され、Ｕ字形の回路部分が取り込んでいる面積部分が第１項に反映される。両項ともに０では無いのである。第２項がほぼ０となるＵ字の底辺部分を持つきわめて長いＵ字形の回路部分を考えればわかるように、ローレンツ力と一致する第２項だけでは起電力は説明されないのである。ただし運動するＵ字形の回路部分と静止している銅線という速度の異なる部分から閉回路が構成されている事を反映して、Ｕ字形の回路部分が取り込んでいる第１項の面積部分の移動速度は第２項の面積速度とは逆にする必要がある。走行する電車の中で車内の吊り革が走行方向とは逆になっている状況ときわめて似た処理が必要となる。剛体回路では慣性走行に擬されるのとは対照的であり、今後の学術的研究課題である。【００１１】  ここでＵ字形の回路部分のみが運動している状況をＵ字形の回路部分から見ると、銅線と磁石が一体となって運動している。この状況を作り出せば、すなわち銅線と磁石が一体となって運動しておれば起電力が生じているわけである。すなわちＵ字側を固定して通電すると、両者が接着されておれば銅線と磁石が一体となって動き出すわけである。
【考案の効果】
【００１２】  以上の説明から明らかなように、本考案にあっては次の効果が得られる。吊り方向と磁場が一致するように吊り具で懸架されている導電性磁石の側面の対抗する２箇所、もしくは二つの磁石の間に挟み込まれた導電材の両端にブラシを介して通電し、通電方向に直交する方向に磁石を振動させる装置を得る。
【考案を実施するための最良の形態】
【００１３】  以下、実施例に基づいて、この考案を更に詳細に説明する。
【実施例１】
【００１４】  図１は、ファラデーの電磁誘導と単極誘導を止揚した原理に基づき可動子を振動させる装置の概略構成図である。可動子は銅板３を挟み込んだ２つの磁石２からなる。可動子は吊り紐１により懸架されている。回路部分５はブラシ４で可動子の該銅板３の２点で接し通電回路を構成する。【００１５】  回路５に通電すると可動子はフレミング左手の法則にしたがって運動を始め、吊り紐により懸架されているため振れて運動エネルギーが位置エネルギーにすべて変わる位置で重力により戻され、反対側に振り戻り、また降下してブラシにより通電されて法則にしたがって再度振り上がる運動を繰り返す事になる。
【図面の簡単な説明】
【００１６】
【図１】開回路の両端をブラシを介して、吊り紐で懸架されている可動子と接しめて閉回路とし、通電する事により可動子を振動せしめる装置の見取り図である。
【符号の説明】
【００１７】    １  吊り紐
２  ネオジウム磁石
３  銅版
４  ブラシ
５  通電回路
【図１】
0003136789.tif 000005
(57)【要約】      （修正有）【課題】ガスボンベなどのガス貯蔵設備を必要としない、クリーンな火炎かつクリーンな環境を保つガス切断装置を提供する。【解決手段】ガス切断装置の構成において、予熱用の燃料供給に、水の電気分解による酸水素ガス発生装置１を使用し、さらに切断用酸素ガス供給に、空気中酸素を濃縮して高濃度酸素ガスを生成する酸素ガス発生装置２を用いる。【選択図】図１
0003136790.tif 000002
【実用新案登録請求の範囲】
【請求項１】
火炎を利用して鉄材などを切断するためのガス切断装置の構成において、予熱用の燃料供給に酸水素ガス発生装置を使用し、さらに切断用酸素ガス供給に、空気中酸素を濃縮して高濃度酸素ガスを生成する酸素ガス発生装置を組み合わせて用いる事を特徴とするガス切断装置
【考案の詳細な説明】
【技術分野】
【０００１】  本考案は、トーチによる火炎を利用して鉄鋼材などを切断するためのガス切断装置に関するものである。
【背景技術】
【０００２】  火炎を利用して鉄材などを切断するためのガス切断装置の構成では、予熱用火炎により鉄鋼材などを赤熱状態にして、そこへ火炎の中心部のノズルから酸素ガスを勢いよく吹き付け、酸化反応させて酸化物を吹き飛ばして切断加工するようにしている。通常、燃料および切断用ガスとして、ボンベに充填されたアセチレンガスや酸素ガスが用いられている。ガスボンベを使用する場合はその輸送および維持・管理を必要とし、貯蔵設備の設置の必要性や、またガス漏洩や爆発などの危険性もある。またその維持・管理はコスト高となる。
【考案の開示】
【考案が解決しようとする課題】
【０００３】  本考案は、ガス切断装置の構成において、ガスボンベを用いないで、その場で必要な量だけ予熱用の酸水素ガス、切断用の酸素ガスを発生させ、その場で利用するようにしてこのような問題を解決しようとするものである。
【課題を解決するための手段】
【０００４】  本考案は、ガス切断装置の構成において、予熱用の燃料供給に、水の電気分解による酸水素ガス発生装置を使用し、さらに切断用酸素ガス供給に、空気中酸素を濃縮して高濃度酸素ガスを生成する酸素ガス発生装置を用いることにより、課題を解決している。
【考案の効果】
【０００５】  上述のように、本考案は、予熱用の燃料供給に、水の電気分解による酸水素ガス発生装置を使用し、さらに切断用酸素ガス供給に、空気中酸素を濃縮して高濃度酸素ガスを生成する酸素ガス発生装置を用いることにより、アセチレンガスや酸素ガス用のガスボンベを必要としないガス切断装置が可能になる。また、燃料ガスに炭素成分を含まないので、クリーンな炎、クリーンな環境が得られる。
【実施例】
【０００６】  以下、添付図面に従って実施例を説明する。１は酸水素ガス発生装置、２は酸素ガス発生装置、２ａは酸素ガスの純度を高めるための高純度化フィルター、３は酸水素ガスを切断用トーチ６に供給するためのガスホース、４は酸素ガスを切断用トーチに供給するためのガスホースである。５ａ、５ｂ、５ｃ、５ｄは、安全のために設置したものであり、トーチ６からホース３，４および装置１，２への逆火を防止するための逆火防止器である。６ａは予熱炎用の酸水素ガスを調整するための調整弁、６ｂは切断用の酸素ガスを調整するための調整弁、６ｃは酸素ガスを燃料ガスに混合して予熱用火炎を生成するための調整弁であるが、酸水素ガスを燃料ガスとして用いる本実施例では、すでに酸素が混合されているので、閉じた状態に設定したままで、用いる必要が無い。７は切断用火炎であり、予熱用の円筒状火炎の中心部から切断用の酸素ガスが噴射する構造となっている。すなわち、予熱用火炎により鉄鋼材を赤熱状態にして、そこへ火炎の中心部のノズルから酸素ガスを勢いよく吹き付け、酸化反応させて酸化物を吹き飛ばして切断加工するのである。【０００７】  本考案では予熱用火炎燃焼の燃料および酸素として、酸水素ガス発生装置１により生成した、酸素と水素の混合ガスを用いている。本混合ガスは、水を電気分解して発生させた水素ガスと酸素ガスを分離せずに混合ガス状態で取り出し、装置内にも貯蔵せずに、製造と同時にその場で使用するようにしたものである。この燃焼反応では反応生成物として水蒸気しか発生せず、また空気中の酸素も消費しないので、クリーンな作業環境を保つ事ができる。このような酸水素混合ガス発生装置を用いれば、燃料貯蔵設備やガスボンベなどを必要せずに、商用電源のみで運用することができる。【０００８】  本考案では切断用酸素ガスとして、酸素ガス発生装置２により生成した、酸素ガスを用いている。大気中の空気は、窒素７８％、酸素２１％、その他のガス１％から成っている。この大気中の酸素を濃縮して利用すれば、酸素ガスボンベを用いる必要がなくなる。本実施例では、ＰＳＡ方式（Ｐｒｅｓｓｕｒｅ  Ｓｗｉｎｇ  Ａｄｓｏｒｐｔｉｏｎ）の酸素ガス発生装置を用いている。窒素を吸収する性質を持つモレキュラーシーブ（合成ゼオライト）を利用したものであり、モレキュラーシーブを充填した吸着槽内に圧縮空気を送ると、窒素が吸着捕捉されて酸素のみが通過し、酸素ガスが供給される。モレキュラーシーブを充填した槽は２本あり、片方の槽が酸素を発生している間、他の槽は吸着していた窒素を大気へ開放し再生されるので、酸素の連続生成が可能である。純度９０％以上のものが容易に得られるが、なるべく高純度のものが望ましい。このために、高純度化フィルター２ａが設置されている。この実施例では、高純度化用の酸素・窒素分離膜としてポリイミド製の中空糸が用いられており、空気中の窒素より酸素を透過しやすい性質を利用している。ガスが中空糸の内側を流れていく間に、酸素が選択的に膜を透過し、高純度酸素ガスが得られる。また、酸素ガス発生装置と同様に、窒素を吸収する性質を持つモレキュラーシーブ（合成ゼオライト）を利用して同じ原理によって高純度化することができる。このように��燃料貯蔵設備やガスボンベなどを必要せずに、切断用酸素ガスを商用電源のみで実現することができる。【０００９】  このような酸水素ガス発生装置、酸素ガス発生装置を用いれば、燃料貯蔵設備やガスボンベなどを必要せず、その輸送および維持・管理も必要がなく、商用電源のみでガス切断加工を運用することができる。また、燃料ガスを貯蔵しないので、引火や爆発などの危険性もなく安全である。
【図面の簡単な説明】
【００１０】
【図１】本考案のガス切断装置の一実施例を示す説明図である。
【符号の説明】
【００１１】１  酸水素ガス発生装置
２  酸素ガス発生装置
２ａ  高純度化フィルター
３  酸水素ガス用ガスホース
４  酸素ガス用ガスホース
５ａ−５ｄ  逆火防止器
６  切断用トーチ
６ａ−６ｃ  ガス調整弁
７  切断用火炎
【図１】
0003136790.tif 000003
(57)【要約】      （修正有）【課題】レインバイブレーションを抑制する効果を長期間保持するケーブル保護パイプを提供する。【解決手段】パイプ本体と同材質でパイプの外周長手方向にスパイラル状にリブを備え、このパイプ本体社とスパイラル状のリブは同材質の連続押出しによる合成樹脂の一体成形によるもので、その外周面は熱吸収率の低い色を採用して解決の手段としている。【選択図】図２
0003136782.tif 000002
【実用新案登録請求の範囲】
【請求項１】
パイプ本体と同材質で、該パイプの外周長手方向にスパイラル状にリブを備えたことを特徴とする橋梁用ケーブル保護パイプ。
【請求項２】
パイプ本体とスパイラルリブは同材質の連続押出しによる合成樹脂の一体成形によるもので、その外周面は熱吸収率の低い色であることを特徴とする請求項１記載の橋梁用ケーブル保護パイプ。
【考案の詳細な説明】
【技術分野】
【０００１】  本考案は、橋梁なとの建築に用いられる斜材ケーブルの保護パイプに係り、各異径パイプに共通して採用できるものである。
【背景技術】
【０００２】  この種の建築物に用いられる斜材ケーブルの保護のために、ポリエチレン等の合成樹脂製の保護管（保護パイプ）が用いられていることは広く知られていて、降雨時にこれらパイプに付着した雨水が流れ落ちるときに水路（リブレット）を形成し、該水路が風によって位置を変えられ、この位置と風向きがある条件を満たしたときにレインバイブレーションと呼ばれる振動が生じ、これが拡幅されたとき、橋梁自体に影響を与えることとなるため、パイプの外周にスパイラル状のリブを設けて水路を妨害し、前記振動を抑制する対策としている。【０００３】  しかしながら係る従来のリブは、全て後付加工によって成されたものであるため、搬送や取扱中の衝撃や長期間の設置による熱膨張或いは収縮の繰返しによって、リブがパイプから離脱する例が多々発生している事実がある。
【考案の開示】
【考案が解決しようとする課題】
【０００４】  そこで本考案は、係る事実に鑑み従来品が有する問題点、即ち、搬送や取扱中の衝撃や長期間の設置による熱膨張或いは収縮の繰返しによって、リブがパイプから離脱する課題を解決して、レインバイブレーションを抑制する効果を長期間保持するケーブル保護パイプを提供し、如いては橋梁なとの建築物の安定に寄与しようとするものである。
【課題を解決するための手段】
【０００５】  上記目的を達成するため本考案は、橋梁なとの建築に用いられる斜材ケーブルの保護パイプにおいて、
パイプ本体と同材質で該パイプの外周長手方向にスパイラル状にリブを備えたことを特徴とし、パイプ本体とリブを同材質の連続押出しによる合成樹脂の一体成形によるものとするとともに、その外周面は熱吸収率の低い色として前記課題の解決を図るものである。
【考案の効果】
【０００６】  本考案は、以上のような構成で課題を解決するための手段とするものであるから、以下の効果を奏する。【０００７】（１）パイプの外周長手方向にスパイラル状に備えられたリブは、パイプ本体と同材質の連続押出しによる合成樹脂の一体成形によるものなので、搬送中や荷積み荷降時の衝撃による剥離がない。【０００８】（２）パイプの外周長手方向にスパイラル状に備えられたリブは、後付加工では無く、連続押出しによる合成樹脂の一体成形によるものであるから、加工ミスやむらが無く均一で安定した製品が得られる。【０００９】（３）従来品のパイプのリブは後付加工のため、加工部分に雨水がまわり、温度が下がる夜間にそれが凍り、日中の温度上昇で凍った雨水が解けるため、該所から剥離が発生していたが、本考案品は連続押出しによる合成樹脂の一体成形によるものなのでかかる現象は発生しない。【００１０】（４）パイプ本体の外周面は熱吸収率の低い色であるため温度の上昇が抑えられ、耐候性が向上するとともに耐久性に富むものとなる。
【考案を実施するための最良の形態】
【００１１】  本考案の橋梁用ケーブル保護パイプは、耐候性に富み且つ加工性の高い、例えばポリエチレンのような合成樹脂の連続押出しによる一体成形により作られる適宜な径のパイプで、該パイプの外周面は例えば乳白色のような熱吸収率の低い色であって、その外周長手方向にはスパイラル状にリブが備えられている。【００１２】  ここにおいて、パイプ本体とスパイラル状のリブとは同材質であって、連続押出しによる合成樹脂の一体成形によるものであることが重要な意味を持っている。
つまり本考案は、パイプ本体とその外周面長手方向にスパイラル状に備えられたリブは同材質であること、パイプ本体の外周面は例えば乳白色のような熱吸収率の低い色であること、パイプ本体とその外周面長手方向に備えられたリブは、合成樹脂の連続押出しによる一体成形により作られたものであることが実施に当たり重要な点である。
【実施例】
【００１３】  図面に示す実施例に基づき本考案を詳細に説明すると、図１は本考案に係る橋梁用ケーブル保護パイプの外観を示しており、パイプ本体１の外周長手方向にスパイラル状に土塁状を呈するリブ２ａ，２ｂを備えていて、このリブを備えたパイプ本体１は必要に応じて少なくとも６種類以上の異なる径のものが作られることが望ましい。【００１４】  図２は図１の断面を示すもので、パイプ本体１の外周長手方向にスパイラル状に土塁状を呈して備えられているリブ２ａ，２ｂは、パイプ本体１と同材質であって、該パイプ本体とともに連続押出しによる合成樹脂の一体成形によるものである。尚、このパイプ本体１の外周面は例えば乳白色のような熱吸収率の低い色を呈している。【００１５】  図３は他の実施例を説明するもので、本考案の橋梁用ケーブル保護パイプパイプ本体１内に、別体のパイプ３を設けてパイプを二層としたもので、この内層のパイプはリブは備えておらず、パイプ本体１と同色であっても別色であっても差し支えない。
【産業上の利用可能性】
【００１６】  本考案の橋梁用ケーブル保護パイプは、パイプ本体と同材質で該パイプの外周長手方向にスパイラル状にリブを備え、パイプとリブは同材質の連続押出しによる合成樹脂の一体成形によるもので、その外周面は熱吸収率の低い色であることを特徴とするものであるから、各異径パイプに共通して採用できるばかりでなく、その耐久性は従来品に比べて著しく向上しており、このことは、本考案を採用して建築された橋梁自体の評価を高めることにもなることから産業上大いに期待される。
【図面の簡単な説明】
【００１７】
【図１】本考案の橋梁用ケーブル保護パイプを示すものである。
【図２】図１の断面を示すものである。
【図３】パイプを二層とした実施例を説明する図である。
【符号の説明】
【００１８】  １パイプ本体      ２ａ，２ｂリブ      ３別体パイプ
【図１】
0003136782.tif 000003
【図２】
0003136782.tif 000004
【図３】
0003136782.tif 000005
(57)【要約】【課題】本考案は、ハンカチに使い捨てカイロを収納するポケットを取付け取外しが自在であるよう装着することにより、コンパクトなひざ掛けとして使用できるようにする。【解決手段】本考案は、ハンカチ２にポケット３を接合部材６により取付け取外しが自在であるようにした。ポケット３にはファスナ−５が隠れるようにフタ４が設けてある。ポケット３には開口部にファスナ−５が付けてあるので、はるカイロはらないカイロのいずれも収納することができる。寒さ予防が必要なとき、カイロを収納したポケット３をハンカチ２に装着することにより保温効果が得られ、コンパクトなひざ掛けとして役立つ。【選択図】図１
0003136788.tif 000002
【実用新案登録請求の範囲】
【請求項１】
ハンカチの任意の位置に、接合部材によって取付け取外しが自在である使い捨てカイロの収納用ポケットを設けたことを特徴とするポケット付ハンカチ。
【考案の詳細な説明】
【技術分野】
【０００１】  本考案は、使い捨てカイロを収納する取付け取外しが自在であるポケットを設けたハンカチに関するものである。
【背景技術】
【０００２】  女性がフォ−マルな服装のとき、カジュアルな服装のとき、いずれの場合でも冬の寒さや夏のク−ラ−による冷えから体を守るには、ひざ掛けや使い捨てカイロが使用されていた。例えば披露宴、会合、映画鑑賞、観劇、ドライブ、喫茶店でのおしゃべりのときなどである。
【考案の開示】
【考案が解決しようとする課題】
【０００３】  衣類に貼るカイロの場合、高級な衣類を傷めることもある。また体が温まり、カイロが必要でなくなったとき、人前で取り外すのに困ることがある。
ひざ掛けだけでは寒い場合や外出時に大きなひざ掛けでなくコンパクトなひざ掛けで寒さ予防の効果を得るには、ハンカチとカイロを一体化させることにより前述の問題点を解決できるのではと考えた。
【課題を解決するための手段】
【０００４】  本考案は、ハンカチの任意の位置に、接合部材によって取付け取外しが自在である使い捨てカイロの収納用ポケットを設けたことを特徴とするポケット付ハンカチである。
ハンカチの適所に、使い捨てカイロを収納するためのファスナ−付ポケットを設けることによって貼るカイロ貼らないカイロのいずれも着脱自在である。また、カイロによる保温効果があるので、コンパクトなひざ掛けとして携帯するのに便利である。
【考案の効果】
【０００５】  ポケットにはファスナ−を設け、そのファスナ−が隠れるように蓋を設けると良い。ポケットの底にまちを設けることにより、カイロを収納しない場合はポケットは小物入れとしても使用でき重宝である。
【考案を実施するための最良の形態】
【０００６】  本考案のハンカチは大きさは一辺が３３ｃｍ〜５０ｃｍ、材質は木綿（綿ブロ−ド、ガ−ゼ地、パイル地、レ−ス地）、絹、ウ−ルが良い。ポケットの大きさは巾２０ｃｍ高さ１３ｃｍ底のマチ２ｃｍ。開口部はファスナ−をつけても良いし面ファスナ−であっても良い。ポケットの蓋は巾２０ｃｍ縦７．５ｃｍが良いが、ポケットの布が透ける場合は収納したカイロが見えないようポケットの正面を覆うため縦は１３ｃｍあっても良い。ハンカチとポケットの接合方法はホック、面ファスナ−、ボタンを接合部材として用いるのが良い。
【実施例】
【０００７】  ハンカチ、ポケット共に木綿（レ−ス）で、５０ｃｍ四方のハンカチ一枚と巾２０ｃｍ高さ１３ｃｍとした柄の異なるレ−スで二枚のポケットをつくってみた。
このようにハンカチとポケットが接合部材によって自在に取付け、取外しが容易に行えるので多種の色や柄の組合せでポケット付ハンカチを楽しむことができた。
【産業上の利用可能性】
【０００８】  ハンカチ、タオル業界で利用可能。
【図面の簡単な説明】
【０００９】
【図１】本考案を正面から見た図。
【図２】ポケットのフタをかぶせた状態の図。
【符号の説明】
【００１０】１  本考案のポケット付ハンカチ
２  ハンカチ
３  ポケット
４  フタ
５  ファスナ−（開口部）
６  接合部材
【図１】
0003136788.tif 000003
【図２】
0003136788.tif 000004
(57)【要約】      （修正有）【課題】従来のスリッパにはないヒールを装着することでスラックスの裾が床についてしまう状況を防止し、かつヒールのみの装着なのでソール部分の厚みを必要とせず軽量、持ち運びを容易にする。【解決手段】従来の柔軟な素材を使用したトラベル用スリッパにヒールのみを装着することにより、スラックスの裾が床についてしまう状況を防止し、スリッパ中ほどから折りたため、かつ軽量にすることを可能にし持ち運びを容易にする。【選択図】図１
0003136749.tif 000002
【実用新案登録請求の範囲】
【請求項１】
「かかと（ヒール）」を有するスリッパであって、トラベル用などで使用される柔らかな素材を使用した折りたたみ可能な持ち運びスリッパに、サンダルなどにあるヒールを付けることによってスラックスの裾を床に接することを防ぎ、かつ折りたたみが出来ることを特徴とするヒール付きスリッパ。
【考案の詳細な説明】
【技術分野】
【０００１】本考案は、トラベル用などで使用される持ち運びの容易な折りたたみの出来るスリッパにヒールを付けた、スリッパに関するものである。
【背景技術】
【０００２】従来では、スリッパにはヒールが無く、パンツ（スラックス）ファッションの場合、ヒール部分の裾が床についてしまう状況が発生していた。かつ、その状況を解決するための見栄えするスリッパが無かった。【０００３】スリッパの中には従来のスリッパで、かかとの部分が高く設定されているものもあるが、ソール部分が全体的に厚みが出来、重量及びスリッパ中ほどから折り曲げてコンパクトに持ち運びしやすくする事に不向きであった。【０００４】なお、本考案に関連する公知技術として次の特許文献１、非特許文献１を挙げることができる。【０００５】
【特許文献１】特開２００７−２９７００号公報
【非特許文献１】実用新案第３０４３４０９号公報
【考案の開示】
【考案が解決しようとする課題】
【０００６】上述の如く、上記技術に係るかかと部分の高さあるスリッパは、折りたたむことが出来ず、重く持ち運びに不向きで用途が限られておりかつファッション性（見栄え）にかけている。【０００７】本考案は、このような点に鑑みて成されたものであり、その目的は、折りたためる事で持ち運びを容易にし、さらにスリッパを全体のファッションシルエットを崩さずに室内でも過ごせるようにすることにある。
【課題を解決するための手段】
【０００８】上述の目的を達成する本考案のヒール付きスリッパは、従来のトラベル用スリッパのように柔軟な素材のスリッパにヒールのみを装着することにより、スリッパ中ほどからは容易に折りたためかつ軽量にすることを特徴とする。
【考案の効果】
【０００９】以上説明したように本考案によれば、従来のトラベル用スリッパのように柔軟な素材のスリッパにヒールのみを装着するので、スリッパ中ほどから容易に折りたたむことが可能となり、コンパクトに収納でき、軽量で持ち運びにも便利で場所を取らせないことを可能となる。
【考案を実施するための最良の形態】
【００１０】以下、本考案の実施の形態を図面に基づき詳細に説明する。
【実施例１】
【００１１】図１−２のヒールのみを装着することで、地面からかかと部分までの高さを確保しスラックス（パンツ）の裾につく汚れを防ぐとともに、図１−１の柔らかな素材を使う事により、図１−３のスリッパの中ほどから半分に折りたたむ（図２）ことが可能で、コンパクトに収納することが出来、持ち運びを容易にする。
【産業上の利用可能性】
【００１２】本考案は、靴、上履きなどを製造、販売する産業分野で利用することができる。
【図面の簡単な説明】
【００１３】
【図１】本考案のヒール付きスリッパの外観斜視図である。
【図２】本考案のヒール付きスリッパ折りたたみ時の外観斜視図である。
【符号の説明】
【００１４】１．スリッパの全体を構成する柔らかな素材
２．ヒール
３．スリッパの中ほど部分
【図１】
0003136749.tif 000003
【図２】
0003136749.tif 000004
(57)【要約】      （修正有）【課題】天井面に取り付ける角型制気口の墨だしを容易に行えるよう工夫した冶具である。【解決手段】破損・耐久性を考慮したアルミプレート本体１、汎用制気口開口表示２、制気口中心合わせ穴３で、地墨からレーザーポイントにてその穴に合わせ、方向合わせ表示４で直角方向を確認した上プレート固定穴７にプレート固定ピン８でプレートの四隅の穴を固定ピンで天井に固定する。制気口サイズに合った開口確認ライン５で開口を確認し器具開口線６に沿って鉛筆で天井面に器具開口を描きこむ。【選択図】図１
0003136750.tif 000002
【実用新案登録請求の範囲】
【請求項１】
天井面等に取り付ける角型制気口の墨出しを容易に行えるよう、薄いアルミプレート一枚に何種類かの制気口開口・表示、取り付け中心点・方向合せ表示、プレート固定穴、固定ピンを一体とした天井取り付け制気口の開口墨だし冶具である。
【考案の詳細な説明】
【技術分野】
【０００１】  本考案は空調・換気用の天井取り付け制気口の墨だしに用いられる冶具である。
【背景技術】
【０００２】  一般に二重天井に取り付ける制気口（ＶＨＳ・ＨＳ・スリットと呼ばれている器具）は天井ボード面に器具を取付ける為の開口用墨だしをする必要がある。多くは地墨からレーザーポイントで天井面に中心を出し、スケールと定規等で開口寸法を描いていた。
【考案の開示】
【考案を解決しようとする課題】
【０００３】  天井面の墨だし作業は、上を向いての作業となるため、非常に腕が疲れるとともに工事現場の天井面は高所作業となる場合が多くつらい仕事であり、天井開口用の寸法を間違って描く事がある。本治具はこれを解決するためのものである。
【課題を解決するための手段】
【０００４】  本考案は、作業工程を一枚のプレートで、速やかに行えるよう予め制気口中心点と何種類かの汎用制気口寸法の開口とプレートを固定する為の穴及び固定ピンを一枚のプレートに纏めることで作業効率が良くなる様にし問題点を解決している。
【考案の効果】
【０００５】  本考案は、床に出した制気口の中心地墨をレーザーポイントで天井に表示させプレート冶具の中心と方向を合わせた後に固定ピンでプレートを天井面に固定し、制気口開口寸法の表示位置に従って鉛筆でなぞり天井面に鉛筆等で線を描く。プレート冶具を外した後に描かれた線を確認することで作業は完了します。
【考案の実施するための最良の形態】
【０００６】  プレート本体の厚みを極力薄くし、天井面にプレートを押さえた時に端部が垂れない強度を有する軽さで尚且つ四隅の押さえ穴を押さえピンでボードに固定できる製品である。
【実施例】
【０００７】  以下、添付図面を従って  実施例を説明する。１は破損・耐久性を考慮したアルミプレート本体である。２は汎用制気口開口表示および部分的けがき用切り込み穴である。３は制気口中心ポイントで、地墨からレーザーポイントにてその穴に合わせ、４方向合わせ表示で直角方向を確認した上７プレート固定穴に８プレート固定ピンでプレートの四隅の穴を固定ピンで天井に固定する。制気口サイズに合った５開口確認ラインで開口を確認し６器具開口線に沿って鉛筆で天井面に器具開口を描きこむ。【０００８】  プレート本体を外し、墨だし状態を確認して作業を終了する。【０００９】  本考案の実施例は上述の如き構成からなるものである。プレート一枚で数サイズの制気口墨だしが容易に出来る冶具である。
【図面の簡単な説明】
【００１０】
【図１】本考案の天井取り付け制気口墨だし冶具正面図である
【符号の説明】
【００１１】  ▲１▼  アルミプレート本体
▲２▼  制気口開口表示
▲３▼  制気口中心合せ穴
▲４▼  方向合せ表示
▲５▼  開口確認ライン
▲６▼  器具開口線
▲７▼  プレート固定穴
▲８▼  プレート固定ピン
【図１】
0003136750.tif 000003
(57)【要約】      （修正有）【課題】炊飯器の性質を利用し、米と離乳食及び副食を調理できることで手間を省く。【解決手段】熱に強い離乳食用ステンレスフック１の上に、離乳食用耐熱容器２と３を置き、炊飯器の釜にフックを掛ける。副食調理も同様、副食用ステンレスフックの上に副食用耐熱容器を置き、釜にフックを掛ける。炊飯器の米と離乳食及び副食を調理出来かつ容器自体を食卓へ出すことにより、調理時間の短縮、労働力の軽減かつ経済効果が得られる。【選択図】図１
0003136746.tif 000002
【実用新案登録請求の範囲】
【請求項１】
炊飯器に通常、御飯を炊くと同時に離乳食容器２個又は副食容器１個をフックにかけ、調理したと同時に専用容器をそのまま食卓に出せる、フック付き容器
【考案の詳細な説明】
【技術分野】
【０００１】  本考案は、炊飯器の釜にフックをかけ、耐熱容器に食材を入れて調理する炊飯器の付属品に関するものである。
【背景技術】
【０００２】  離乳食用の重湯や野菜は別に鍋で炊いていた。又副食用のおかずは別の鍋又はフライパンで調理していた。
【考案の開示】
【考案が解決しようとする課題】
【０００３】  離乳食は少量であるが別で調理する為、時間的労働的、経済的負担がある。従って炊飯器の機能を利用し、米と離乳食及び副食を同時に調理することが可能になり、前述の欠点を解決しようとするものである。
【課題を解決するための手段】
【０００４】  本考案は、炊飯器の釜の端から端にかかるようにフックをかけ、その上に耐熱蓋付き容器を載せ、米と同時に離乳食及び副食を調理でき、かつ耐熱容器そのものを食卓へ出す事により、手間がかかるという問題点を解決している。
【考案の効果】
【０００５】  上述の様に、本考案の炊飯器フック付き容器は、従来どうり炊飯器の機能で米を炊けるのはもちろん、炊飯器の釜の端と端にかけたフックに容器を置くことで、容器自体に米がつくことなく蒸気を利用してふっくら、じっくり調理でき、かつ蓋付きの為においが気になる食材でも使用できることにより、炊飯器を利用して調理の幅が広がる。
【考案を実施するための最良の形態】
【０００６】  炊飯器の釜に米を入れ水洗いし、計量した後ステンレス製フックをかけ１つ目の離乳食容器に研いだ米と水をいれ、２つ目の離乳食容器に野菜とだしを入れ、御飯を炊くのと同じようにスイッチをいれる。炊けると離乳食容器を布巾等で、やけどのないように取り出し、そのまま食卓へ出し、フックを取って、御飯も通常どうり盛り付ける。
【図面の簡単な説明】
【０００７】
【図１】  離乳食用の実施例を示す正面図である。
【図２】  副食用の実施例を示す正面図である。
【図３】  炊飯器に挿入した状態の断面図である。
【図４】  炊飯器に挿入した状態の断面図である。
【符号の説明】
【０００８】  １  離乳食用ステンレスフック
２  離乳食用耐熱容器１つ目
３  離乳食用耐熱容器２つ目
４  副食用ステンレスフック
５  副食用耐熱容器
６  副食用調理のせステンレス台
【図１】
0003136746.tif 000003
【図２】
0003136746.tif 000004
【図３】
0003136746.tif 000005
【図４】
0003136746.tif 000006
(57)【要約】      （修正有）【課題】姿勢矯正に役立つひも付き伸縮８の字状帯状部材に関するもので、従来の伸縮８の字帯状部材のように帯状部材の一部が脇の下にくい込み、えきかリンパを圧迫することのないようにし、長時間着用可能にする。【解決手段】巾７から８センチメートルの輪状にした伸縮性を有する布を肩幅に合わせて８の字状につくる。その背面やや中央部よりに、巾約４から５センチメートル、長さ約５０から８０センチメートルの輪状にしたひもをつけ、前下方に引くことにより、えきかリンパ圧迫を回避しながら姿勢を矯正する。【選択図】図３
0003136744.tif 000002
【実用新案登録請求の範囲】
【請求項１】
姿勢矯正に関するもので、えきかリンパ圧迫回避型ひも付き伸縮８の字状帯状部材。
【考案の詳細な説明】
【技術分野】
【０００１】
本考案は、姿勢矯正がなされるように伸縮性を有する布で作った、ひも付き伸縮８の字状帯状部材に関するものである。
【背景技術】
【０００２】
従来の伸縮８の字状帯状部材は強度の調整が出来なかった。又、帯状部材の一部が直接脇の下にくい込むため、えきかリンパを圧迫し、長時間の着用が出来なかった。（実用新案文献１参照）
【特許文献１】実用新案登録第３１２８７６７号
【考案の開示】
【考案が解決しようとする課題】
【０００３】
長時間の着用を可能にするため、解決しようとする問題点は、二つある。一つは強度の調整を出来るようにすること。二つ目は帯状部材の一部が直接、脇の下にくい込むことのないようにすることで解決する。
【課題を解決するための手段】
【０００４】
巾７から８センチメートルの輪状にした伸縮性を有する布を肩幅に合わせて８の字状につくる。その背面、やや中央部より巾約４から５センチメートル、長さ約５０から８０センチメートルの輪状にしたひもを左右に付け、前下方で縛るようにする。
【考案の効果】
【０００５】
着衣の上、あるいは下着として、たすき様に着用し、左右のひもを背面から前下方へ引き、強度を調節して縛る。この時、ひもを背面より前下方に引くことにより、帯状部材の一部が脇の下にくい込まず、えきかリンパ圧迫を回避しながら肩を後へ引く力を生じさせ、良い姿勢が容易にとれる。したがって、日常生活はもとより、運動時も長時間着用が可能になり、運動効果を上げることも期待できる。
【考案を実施するための最良の形態】
【０００６】
（イ）巾７から８センチメートルの輪状にした伸縮性を有する布を肩幅に合わせて８の字状につくる。（図１）
（ロ）巾約４から５センチメートル、長さ約５０から８０センチメートルの輪状にしたひもを二本つくる。（図２）
（ハ）（ロ）のひも（図２）を本体背面（図４−３）の部分にとりつける。
以上の構成になる。
本考案を着用する場合は、本体をたすき様に着用し、背面からついているひもを前下方へ引き、肩を後へ引く力を生じさせ、前胸下位置で強度を調整しながら縛る。応用例として本考案物を姿勢矯正具としてだけでなく、運動時のアイテムとしての仕様も可能である。
【図面の簡単な説明】
【０００７】
【図１】帯状部材本体
【図２】とりつけひも
【図３】帯状部材本体にひもをとり付けたもの
【図４】着用時（後）
【図５】着用時（前）
【符号の説明】
【０００８】
１  帯状部材本体
２  とりつけひも
３  とりつけひも位置
【図１】
0003136744.tif 000003
【図２】
0003136744.tif 000004
【図３】
0003136744.tif 000005
【図４】
0003136744.tif 000006
【図５】
0003136744.tif 000007
【手続補正書】
【提出日】平成19年9月3日(2007.9.3)
【手続補正１】
【補正対象書類名】実用新案登録請求の範囲
【補正対象項目名】全文
【補正方法】変更
【補正の内容】
【実用新案登録請求の範囲】
【請求項１】
輪状にした伸縮性を有する布を肩幅に合わせて８の字状に形成した帯状部材の左右にそれぞれひもを付けたことを特徴とするひも付き伸縮８の字状帯状部材。
(57)【要約】      （修正有）【課題】ゴルフグラブ本体にゴルフアプローチ練習器具本体を装着し、先端及び本体が体に触れない状態でスイングすることで、半径動作を体が覚え、正確な軌道を保った状態でスイングを可能にする。【解決手段】すり鉢状の外形に外形ネジ１４及び割溝１２が施してあり、外形ネジ１４に沿ってロックナット０６により締め付けることにより、割溝１２が締められゴルフクラブのグリップ１８に固定され、容易に脱着出来る。固定具にゴルフアプローチ練習器具本体のシャフト０４を脱着可能にし、容易に切断できる材質を使用する事により、自在にゴルフアプローチ練習器具本体のシャフト０４の長さを調節することができる、調整する際のメインパイプ０４の両端にゴムキャップ０２を装備することで、切断面の見栄え及び、安全を確保できる。【選択図】図１
0003136701.tif 000002
【実用新案登録請求の範囲】
【請求項１】
ゴルフアプローチ練習器具本体のシャフトをゴルフクラブ本体に装着するための固定具を、ゴルフクラブ本体に固定する。ゴルフクラブのシャフトへ装着するためのテーパー状のネジを施したキャップに切り目を入れ、且つ固定できるロックナットが装備されていることにより、固定具を容易に脱着出来ることで、ゴルフアプローチ練習器具本体の脱着が容易に行うことが出来る。
【請求項２】
固定具にゴルフアプローチ練習器具本体のシャフトを脱着可能にし、容易に切断できる材質を使用する事により、自在にゴルフアプローチ練習器具本体のシャフトの長さを調節することができる請求項１記載のゴルフアプローチ練習器具。
【考案の詳細な説明】
【技術分野】
【０００１】本考案は手軽にスイングの練習が出来るゴルフアプローチ練習器具に関する。
【背景技術】
【０００２】スイングは鏡やＶＴＲもしくは人に見てもらいながらの練習をしていた。
【考案の開示】
【考案が解決しようとする課題】
【０００３】スイング時の姿勢を安定させるためにインストラクターに指導してもらうには時間及び費用的にも負担が大きく、鏡やＶＴＲでは実際のスイングのことがわかりにくい。従って、ゴルフグラブに平行もしくは、水平に且つ容易に取り付けることの出来るゴルフアプローチ練習器具本体の先端及び、ゴルフアプローチ練習器具本体が体に触れない状態でスイングすることで、半径動作を体が覚え、正確な軌道を保った状態でスイングが可能となり、前述の欠点を解決しようとするものである。
【課題を解決するための手段】
【０００４】本考案は、ゴルフグラブ本体にスイングの目安となるゴルフアプローチ練習器具本体を脱着可能な状態で装着し、ゴルフアプローチ練習器具本体の先端及び、ゴルフアプローチ練習器具本体が体に触れない状態でスイングすることで、半径動作を体が覚え、正確な軌道を保った状態でスイングが可能となることで問題を解決している。
【考案の効果】
【０００５】上述のように、本考案のゴルフアプローチ練習器具はスイングの目安となるゴルフアプローチ練習器具本体を容易に脱着可能な状態での装着はもちろん、身長にあわせての装着も可能で、一人で容易に練習を行うことができる。
【考案を実施するための最良の形態】
【０００６】固定具は、すり鉢状の内形をしたロックナットを装備し、キャップをグリップ部分が入るように穴を設け、グリップに装着するためのすり鉢状の外形をしたキャップをロックナットで締めていくことにより、グリップに固定される。ゴルフクラブのグリップへ装着するためのキャップに切り目の入った固定具を容易に脱着出来ることで、ゴルフアプローチ練習器具本体の脱着が容易に行うことが出来、固定具にゴルフアプローチ練習器具本体のシャフトが装着され、且つパイプはカッターなどで容易に加工できるので、自在にゴルフアプローチ練習器具本体のシャフトの長さを調節することができる。
【実施例】
【０００７】以下、添付図面に従って実施例を説明する。キャップ０８はゴルフグラブのグリップ１８に装着するための内形穴１０が開いたもので、すり鉢状の外形に外形ネジ１４及び割溝１２が施してあり、外形ネジ１４に沿ってロックナット０６により締め付けることにより、割溝１２が締められゴルフクラブのグリップ１８に固定される。【０００８】ゴルフアプローチ練習器具本体１００のメインパイプ０４をゴルフグラブのグリップ１８に装着するための内形穴１０が開いたもので、すり鉢状の外形に外形ネジ１４及び割溝１２が施してあり、外形ネジ１４に沿ってロックナット０６により締め付けることにより、割溝１２が締められゴルフクラブのグリップ１８に固定され、容易に脱着出来ることで、ゴルフアプローチ練習器具本体１００の脱着が容易に行うことが出来、固定具にゴルフアプローチ練習器具本体１００のシャフト０４を脱着可能にし、容易に切断できる材質を使用する事により、自在にゴルフアプローチ練習器具本体１００のシャフト０４の長さを調節することができるゴルフアプローチ練習器具本体１００。【０００９】調整する際のメインパイプ０４の両端にゴムキャップ０２を装備することで、切断面の見栄え及び、安全を確保できる。
【図面の簡単な説明】
【図１】本考案の全体図及びキャップの断面図である。
【図２】本考案の装着状態を説明する説明図である。
【符号の説明】
１００  ゴルフアプローチ練習器具本体
０２  ゴムキャップ
０４  メインパイプ
０６  ロックナット
０８  キャップ
１０  内形穴
１２  割溝
１４  外形ネジ
１８  ゴルフグラブのグリップ
【図１】
0003136701.tif 000003
【図２】
0003136701.tif 000004
【手続補正書】
【提出日】平成19年7月27日(2007.7.27)
【手続補正１】
【補正対象書類名】実用新案登録請求の範囲
【補正対象項目名】全文
【補正方法】変更
【補正の内容】
【実用新案登録請求の範囲】
【請求項１】
ゴルフクラブのグリップへ装着するためのテーパー状のネジを施したキャップに切り目を入れ、且つ固定できるロックナットが装備されていることにより、ゴルフアプローチ練習器具本体を容易に脱着出来るゴルフアプローチ練習器具。
【請求項２】
キャップにゴルフアプローチ練習器具本体のメインパイプを脱着可能にし、メインパイプに樹脂を使用する事により容易に切断が出来、自在にゴルフアプローチ練習器具本体のメインパイプの長さを調節することができること請求項１記載のゴルフアプローチ練習器具。
(57)【要約】      （修正有）【課題】取出口より粉、顆粒状の薬、調味料等をあますところなく取り出せるように構成された包装体収納袋の提供。【解決手段】粉、顆粒状の薬、調味料等収納袋の内容物収納部の下側の部分１を半円形状または放物線状にした。【選択図】図１
0003136704.tif 000002
【実用新案登録請求の範囲】
【請求項１】
粉、顆粒状の薬、調味料等収納袋の下側の部分を半円形状または、放物線状にする。
【考案の詳細な説明】
【技術分野】
【０００１】  本考案は、取出口より粉、顆粒状の薬、調味料等をあますところなく取り出せるように構成された収納袋に関する。
【背景技術】
【０００２】  近年、取出口より粉、顆粒状の薬、調味料等を取り出せるように構成された収納袋が広く普及している。
【考案の開示】
【考案が解決しようとする課題】
【０００３】  然しながら、現行の収納袋は内容物の粉、顆粒状の薬、調味料等を取り出し口から取り出す際に下方の隅２箇所に取り出されずに残ってしまうという問題がある。
【課題を解決するための手段】
【０００４】  上記の課題を解決すべく、本考案は以下の構成を提供する。
請求項１に係る考案は、粉、顆粒状の薬、調味料等収納袋の内容物収納部の下側の部分を半円形状または放物線状にしたものを提供するものである。
【考案の効果】
【０００５】  本考案によれば、取出口より粉、顆粒状の薬、調味料等をあますところなく取り出せるように構成された収納袋を提供することが出来る。
また、この形状により、取り出し部の位置が明確に瞬時に判断できるメリットがある。
【本考案を実施するための最良の形態】
【０００６】  以下、本考案に係る粉、顆粒状の薬、調味料等収納袋を実施するための最良の形態を参照しつつ具体的に説明する。
図１、図２は、本考案における実施形態の構成を説明する図である。
【図面の簡単な説明】
【０００７】
【図１】  本考案における実施形態の構成を説明する表面展開図である。
【図２】  本考案における実施形態の構成を説明する表面展開図である。
【符号の説明】
【０００８】  １，収納袋の内容物収納部の下側の部分（太線）
２，取り出し口
３，内容物収納部分
【図１】
0003136704.tif 000003
【図２】
0003136704.tif 000004
【手続補正書】
【提出日】平成19年7月25日(2007.7.25)
【手続補正１】
【補正対象書類名】実用新案登録請求の範囲
【補正対象項目名】全文
【補正方法】変更
【補正の内容】
【実用新案登録請求の範囲】
【請求項１】
粉、顆粒状の薬、調味料等収納体の下側の部分を半円形状または、放物線状にした収納袋。